(57)【要約】      （修正有）【課題】レセプタクルの間口を通してモジュールを交換する構造を有する筐体において、モジュールのロックを解除して落下させることなく、モジュールの抜去を容易にするモジュール抜去治具を提供する。【解決手段】モジュール抜去治具１００は、作業時にモジュール２４０を収めた筐体２２０の外側に出ている取っ手部１２０と、取っ手部１２０に固定され、先端がモジュール２４０のコネクタ挿入口２５０に嵌合される本体部と、本体部１１０の先端側に設けられ、モジュール２４０のロック解除レバーを解除させる解除レバー１３０と、本体部１１０の後端側に設けられ、解除レバー１３０を搖動させる操作部１４０とを備える。【選択図】図３
2017138396.tif 000002
【特許請求の範囲】
【請求項１】
作業時にモジュールを収めた筐体の外側に出ている取っ手部と、
前記取っ手部に固定され、先端が前記モジュールのコネクタ挿入口に嵌合される本体部と、
前記本体部の先端側に設けられ、前記モジュールのロック解除レバーを解除させる解除レバーと、
前記本体部の後端側に設けられ、前記解除レバーを搖動させる操作部と
を備えたことを特徴とするモジュール抜去治具。
【請求項２】
前記本体部の先端は、所定の上限値以下の引き抜き力に対して前記コネクタ挿入口との嵌合状態を維持する
ことを特徴とする請求項１に記載のモジュール抜去治具。
【請求項３】
前記本体部の先端に、前記本体部の先端と前記コネクタ挿入口との間の摩擦を増加させるラバーを有する
ことを特徴とする請求項１又は請求項２に記載のモジュール抜去治具。
【請求項４】
前記操作部と前記解除レバーとを係合させることにより、前記操作部と前記解除レバーとを連動させる操作バーを含む
ことを特徴とする請求項１乃至３のいずれか１項に記載のモジュール抜去治具。
【請求項５】
作業時にモジュールを収めた筐体の外側に出ている取っ手部に固定された本体部の、先端を前記モジュールのコネクタ挿入口に嵌合し、
前記本体部の後端側に設けられた操作部を搖動することにより、前記本体部の先端側に設けられた解除レバーを移動させて、前記モジュールのロック解除レバーを解除し、
前記取っ手部を引き出すことにより、前記モジュールを抜去する
ことを特徴とするモジュール抜去方法。
【発明の詳細な説明】
【技術分野】
【０００１】
本発明は、モジュール抜去治具、及びモジュール抜去方法に関する。
【背景技術】
【０００２】
通常、光トランシーバの交換を可能にするために、光トランシーバは、光トランシーバを挿抜可能なケージに格納された状態で、光トランスポンダ等の筐体内に実装される。そのため、光トランシーバ又はケージは、光トランシーバがケージから意図せずに抜去されることを防止するためのロック機構を有する。ロック機構では、光トランシーバをケージから取り外す際に、光トランシーバのロック解除レバーを操作してロックが解除された後に、光トランシーバが抜去される。
【０００３】
光トランシーバの筐体に対するロックを操作する技術の一例が、特許文献１に開示されている。特許文献１の光トランシーバは、ケージの係合プレートに形成された係止穴に係止可能な係止突起を有するラッチ部材と、係止穴に対する係止突起の係止を解除するレバーとを含む。ラッチ部材は回動可能に構成されている。レバーは、ラッチ部材を押圧し回動させることによって係止突起を変位させ係止穴に対する係止を解除する。上記の動作の結果、特許文献１の光トランシーバは、光トランシーバのスムーズな係止解除操作を可能にする。
【０００４】
光トランシーバの筐体に対するロックを操作する技術の別の一例が、特許文献２に開示されている。特許文献２の光トランシーバは、ロック部品と、ロック解除補助部品と、レバーとを含む。ロック部品は、光ケーブルの接続された光送信器又は光受信器が収容されたベースの外壁面上に配置され、ベース側の端部が相手側装置に係合可能である。ロック解除補助部品は、ロック部品の光ケーブル側の端部と接続され、回動することによってロック部品の係合状態とロック部品の係合の解除状態とを切り替える。レバーは、ベース側の端部がロック解除補助部品と接続され、光ケーブルの伸延方向と平行な方向に移動することによってロック解除補助部品を回動させる。上記の動作の結果、特許文献２の光トランシーバは、相手側装置に対する光トランシーバのロック状態制御を容易にする。
【先行技術文献】
【特許文献】
【０００５】
【特許文献１】特開２００９−１８６８１７号公報
【特許文献２】特開２０１４−２０３０５５号公報
【発明の概要】
【発明が解決しようとする課題】
【０００６】
光トランスポンダ等の機器は屋外で使用されることが多い。この場合、光トランシーバを格納する筐体は、耐候性を有するレセプタクル及びプラグを経由して、外部の通信ケーブルに接続される。光トランシーバ及びケージは、レセプタクルの奥側に設置される。光トランシーバは、外部の通信ケーブルのコネクタが挿入されるコネクタ挿入口を含む。レセプタクルの間口を通して光トランシーバを交換する構造の筐体では、光トランシーバがレセプタクルの間口の奥に設置されるために、手作業でロック解除レバーを操作することが困難である。
【０００７】
ところが、特許文献１や特許文献２の光トランシーバでは、手作業でロック解除レバーを操作しなければならず、レセプタクルの間口を通して光トランシーバを交換する構造の筐体では、操作が困難であるという問題があった。
【０００８】
なお、この問題は、光トランシーバを含む筐体に限らず、レセプタクルの間口を通してモジュールを交換する構造を有する筐体に共通する問題である。
（発明の目的）
本発明の主たる目的は、レセプタクルの間口を通してコネクタ挿入口を有するモジュールを交換する構造を有する筐体において、筐体からのモジュールの抜去を容易にすることができるモジュール抜去治具、及びモジュール抜去方法を提供することにある。
【課題を解決するための手段】
【０００９】
本発明のモジュール抜去治具は、作業時にモジュールを収めた筐体の外側に出ている取っ手部と、取っ手部に固定され、先端がモジュールのコネクタ挿入口に嵌合される本体部と、本体部の先端側に設けられ、モジュールのロック解除レバーを解除させる解除レバーと、本体部の後端側に設けられ、解除レバーを搖動させる操作部とを備えたことを特徴とする。
【００１０】
本発明のモジュール抜去方法は、作業時にモジュールを収めた筐体の外側に出ている取っ手部に固定された本体部の、先端をモジュールのコネクタ挿入口に嵌合し、本体部の後端側に設けられた操作部を搖動することにより、本体部の先端側に設けられた解除レバーを移動させて、モジュールのロック解除レバーを解除し、取っ手部を引き出すことにより、モジュールを抜去することを特徴とする。
【発明の効果】
【００１１】
本発明によれば、レセプタクルの間口を通してコネクタ挿入口を有するモジュールを交換する構造を有する筐体において、筐体からのモジュールの抜去を容易にすることができるという効果がある。
【図面の簡単な説明】
【００１２】
【図１】本発明の第１の実施形態のモジュール抜去治具の適用対象である筐体の構成の一例を示す図である。
【図２】本発明の第１の実施形態のモジュール抜去治具の構成の一例を示す図である。
【図３】本発明の第１の実施形態のモジュール抜去治具の動作を説明するための図である。
【図４】本発明の第１の実施形態のモジュール抜去治具の動作を示すフローチャートである。
【図５】本発明の第２の実施形態のモジュール抜去治具の構成を示す図である。
【図６】本発明の第２の実施形態のモジュール抜去治具の動作を説明するための図である。
【図７】本発明の第２の実施形態のモジュール抜去治具の動作を説明するための図である。
【発明を実施するための形態】
【００１３】
以下、本発明の実施形態について、図面を参照して詳細に説明する。なお、すべての図面において、同等の構成要素には同じ符号を付し、適宜説明を省略する。
（第１の実施形態）
まず、本実施形態における前提について説明する。
【００１４】
図１は、本発明の第１の実施形態のモジュール抜去治具の適用対象である筐体の構成の一例を示す図である。具体的には、図１（ａ）は筐体の外観を示す斜視図で、図１（ｂ）は筐体の内部を示す断面図である。
【００１５】
本実施形態のモジュール抜去治具の適用対象である筐体２００は、外部の通信ケーブル（不図示）に接続される。筐体２００は、例えば、光トランスポンダの筐体である。筐体２００は、レセプタクル２１０と、ケージ２２０と、モジュール２４０とを含む。
【００１６】
レセプタクル２１０は、外部の通信ケーブルのプラグが挿入されることにより、通信ケーブルと物理的に接続される。
【００１７】
ケージ２２０は、モジュール２４０を保持する。ケージ２２０は、レセプタクル２１０の奥側に設置される。なお、ケージ２２０は、例えば、基板２３０上に実装されることにより、筐体２００に固定される。ケージ２２０又はモジュール２４０は、モジュール２４０がケージ２２０から意図せずに抜去されることを防止するためのロック機構（不図示）を有する。
【００１８】
モジュール２４０は、外部の通信ケーブルに光学的又は電気的に接続される。モジュール２４０は、レセプタクルの間口を通して交換される。モジュール２４０は、例えば、光トランシーバモジュールである。モジュール２４０は、コネクタ挿入口２５０と、ロック解除レバー２６０とを含む。
【００１９】
コネクタ挿入口２５０は、外部の通信ケーブルのコネクタが挿入されることにより、通信ケーブルと光学的又は電気的に接続される。コネクタは、例えば、ＬＣ（Local Connector）コネクタである。
【００２０】
ロック解除レバー２６０は、一端がモジュール２４０の所定の方向に移動されることにより、ロック機構のロックを解除する。ロック解除レバー２６０では、例えば、一端がモジュール２４０の幅方向に平行な回転軸により支持され、他端がモジュール２４０の奥行き方向に回転移動する。
【００２１】
次に、本実施形態における構成について説明する。
【００２２】
本実施形態のモジュール抜去治具は、レセプタクル２１０の間口を通してモジュール２４０を交換する構造を有する筐体２００において、モジュール２４０のロックを解除して、レセプタクル２１０の間口を通してモジュール２４０を抜去する。
【００２３】
図２は、本発明の第１の実施形態のモジュール抜去治具の構成の一例を示す図である。具体的には、図２は、モジュール抜去治具の外観を示す斜視図である。
【００２４】
本実施形態のモジュール抜去治具１００は、取っ手部１２０と、本体部１１０と、解除レバー１３０と、操作部１４０とを含む。
【００２５】
取っ手部１２０は、作業時に後端が筐体２００の外側に出ており、作業者により保持される。取っ手部１２０の形状は、作業者が保持しやすい任意の形状であり、例えば、円柱状である。
【００２６】
本体部１１０は、取っ手部１２０に固定され、作業者の操作により、モジュール２４０のロック解除レバー２６０のロックを解除する。本体部１１０の先端は、モジュール２４０のコネクタ挿入口２５０に嵌合可能な形状を有し、所定の上限値以下の引き抜き力に対して、摩擦力により嵌合状態を維持する。作業時に本体部１１０の先端がコネクタ挿入口２５０に挿入されることにより、モジュール抜去治具１００は、モジュール２４０に対して所定の位置に位置決めされる。なお、本体部１１０は、ラバー１５０を含んでもよい。
【００２７】
解除レバー１３０は、モジュール抜去治具１００がモジュール２４０に対して所定の位置に位置決めされた場合に、一端がモジュール２４０のロック解除レバー２６０に係合する。また、解除レバー１３０は、モジュール２４０のロック解除レバー２６０を解除する方向に移動可能である。解除レバー１３０は、例えば、モジュール抜去治具１００の長手方向に移動可能である。
【００２８】
操作部１４０は、作業者により操作されることにより、解除レバー１３０を移動させる。操作部１４０は、例えば、作業者によりモジュール抜去治具１００の長手方向に移動させられることにより、解除レバー１３０をモジュール抜去治具１００の長手方向に移動させる。なお、解除レバー１３０の移動方向と操作部１４０の移動方向とは、異なる方向であってもよいし、同じ方向であってもよい。
【００２９】
ラバー１５０は、本体部１１０の先端がコネクタ挿入口２５０に挿入された際の摩擦力を大きくする。ラバー１５０は、本体部１１０の先端に設置される。ラバー１５０の材質及び形状は、本体部１１０の先端がコネクタ挿入口２５０に挿入された際の摩擦力を大きくする任意の材質及び形状である。ラバー１５０は、例えば、本体部１１０の先端に接着されたゴムのシートである。
【００３０】
次に、本実施形態における動作について説明する。
【００３１】
図３は、本発明の第１の実施形態のモジュール抜去治具１００の動作を説明するための図である。具体的には、図３（ａ）は、モジュール抜去治具１００が筐体２００に挿入される様子を示す。図３（ｂ）は、モジュール２４０の拡大図である。
【００３２】
図４は、本発明の第１の実施形態のモジュール抜去治具１００の動作を示すフローチャートである。なお、図４に示すフローチャート及び以下の説明は一例であり、適宜求める処理に応じて、処理順等を入れ替えたり、処理を戻したり、又は処理を繰り返したりしてもよい。
【００３３】
本体部１１０の先端は、作業者により、モジュール抜去治具１００の解除レバー１３０の一端が先端方向に移動された状態で、モジュール２４０のコネクタ挿入口２５０に嵌合される（ステップＳ１１０）。これにより、モジュール抜去治具１００は、モジュール２４０に対して所定の位置に位置決めされる。なお、解除レバー１３０の一端が挿入時位置に移動された状態では、解除レバー１３０の一端がロック解除レバー２６０に妨げられることなく、本体部１１０の先端はコネクタ挿入口２５０に挿入可能である。この機構は、例えば、挿入時位置における解除レバー１３０の一端の高さの低下、又は解除レバー１３０の弾性により、実現される。
【００３４】
操作部１４０は、作業者により操作されることにより、ロック解除レバー２６０を解除する方向（図３では下方向）に、解除レバー１３０を移動させる（ステップＳ１２０）。なお、モジュール抜去治具１００がモジュール２４０に対して所定の位置に位置決めされるので、解除レバー１３０の一端は、ロック解除レバー２６０に係合する。
【００３５】
解除レバー１３０は、ロック解除レバー２６０をロックが解除される方向（図３では下方向）に移動させて、ロック解除レバー２６０のロックを解除する（ステップＳ１３０）。
【００３６】
取っ手部１２０は、作業者により引き出されることにより、モジュール２４０を抜去する（ステップＳ１４０）。なお、本体部１１０の先端は、摩擦力によりコネクタ挿入口２５０との嵌合状態を維持する。
【００３７】
以上説明したように、本実施形態のモジュール抜去治具１００の先端は、コネクタ挿入口２５０に嵌合されることにより、モジュール２４０に対して所定の位置に位置決めされる。モジュール抜去治具１００がモジュール２４０に対して所定の位置に位置決めされるので、解除レバー１３０の一端は、ロック解除レバー２６０に係合する。そして、操作部１４０が操作されることにより、解除レバー１３０が移動して、ロック解除レバー２６０が解除される。そして、モジュール抜去治具１００が引き出されることにより、摩擦力によりモジュール抜去治具１００との嵌合状態を維持されたモジュール２４０が抜去される。従って、本実施形態のモジュール抜去治具１００には、レセプタクルの間口を通してモジュールを交換する構造を有する筐体において、筐体からのモジュールの抜去を容易にすることができるという効果がある。
【００３８】
また、屋外に設置される筐体では、耐候性を考慮して、モジュールは筐体の底面側に設置されることが多い。この場合には、ロックが解除されたモジュールを抜去する際に、モジュールを落下させる恐れがあった。しかしながら、モジュール抜去治具１００の先端がモジュール２４０に嵌合して保持する。従って、本実施形態のモジュール抜去治具１００には、モジュール２４０を落下させることなく抜去することができるという効果がある。なお、本体部１１０の先端にラバー１５０が含まれる場合には、本効果が顕著である。
【００３９】
また、同様に、筐体へのモジュール２４０の挿入時においても、モジュール抜去治具１００の先端がモジュール２４０に嵌合して保持する。従って、本実施形態のモジュール抜去治具１００には、モジュール２４０を落下させることなく挿入することができるという効果がある。なお、本体部１１０の先端にラバー１５０が含まれる場合には、本効果が顕著である。
（第２の実施形態）
次に、上述した第１の実施形態のモジュール抜去治具１００を基本とする、本発明の第２の実施形態のモジュール抜去治具について説明する。本実施形態のモジュール抜去治具は、第１の実施形態のモジュール抜去治具１００を詳細化した実施形態である。本実施形態のモジュール抜去治具では、操作部を摺動させることにより、解除レバーの先端が回転する。以下の説明において、第１の実施形態と同等の構成要素には同じ符号を付し、適宜説明を省略する。
【００４０】
本実施形態における構成について説明する。
【００４１】
図５は、本発明の第２の実施形態のモジュール抜去治具の構成を示す図である。具体的には、図５（ａ）はモジュール抜去治具の構成部品を特定の方向から見た斜視図であり、図５（ｂ）はモジュール抜去治具の構成部品を別の方向から見た斜視図である。
【００４２】
本実施形態のモジュール抜去治具１０５は、取っ手部１２０と、本体部１１５と、解除レバー１３５と、操作部１４５とを含む。
【００４３】
本体部１１５は、ベース部１１１と、案内部１１６とを含む。なお、本体部１１５の先端には、ラバー１５０が含まれてもよい。
【００４４】
ベース部１１１と案内部１１６とは互いに接合されて、ベース部１１１と案内部１１６との間隙に、操作バー１４１と、解除レバー１３５とが配置される。本体部１１５の先端部分は、モジュール２４０のコネクタ端面を逃げるように円柱状の溝穴を含む。円柱状の溝穴は、ベース部１１１の先端部分の半円柱状の溝穴であるベース部溝穴１１３と、案内部１１６の先端部分の半円柱状の溝穴である案内部溝穴１１８とにより形成される。
【００４５】
案内部１１６は、内側に操作バー１４１が配置される案内部長溝１１７を含む。ベース部１１１は、先端側に解除レバー１３５の回転軸である本体軸１１２を含む。
【００４６】
操作バー１４１は、長板状の形状を有し、先端に解除レバー１３５を動かすための操作バー軸１４２を含み、後端に操作部１４５が接続される。
【００４７】
解除レバー１３５は、板状の形状を有し、本体軸１１２と嵌合する解除レバー軸穴１３１と、操作バー軸１４２と嵌合するスリット１３２とを含む。
【００４８】
モジュール抜去治具１０５の他の構成は、本発明の第１の実施形態のモジュール抜去治具１００の構成と同じである。
【００４９】
次に、本実施形態における動作について説明する。
【００５０】
図６及び図７は、本発明の第２の実施形態のモジュール抜去治具１０５の動作を説明するための図である。具体的には、図６はロック解除前のモジュール２４０及びモジュール抜去治具１０５の状態を、図７はロック解除後のモジュール２４０及びモジュール抜去治具１０５の状態を示す。
【００５１】
モジュール抜去治具１０５では、操作バー１４１を案内部長溝１１７に沿ってスライドさせることにより、操作バー軸１４２が解除レバー１３５のスリット１３２に嵌合して、本体軸１１２を中心に解除レバー１３５が回転する。解除レバー１３５の図６及び図７の右回りの回転により、ロック解除レバー２６０が図６及び図７の右方向に移動して、モジュール２４０のロックが解除される。
【００５２】
まず、モジュール抜去治具１０５の解除レバー１３５と、モジュール２４０のロック解除レバー２６０とが係合するように向きを合わせて、レセプタクル２１０の間口にモジュール抜去治具１０５の本体部１１０の先端側を挿入する。このとき、操作部１４５を図６の右方向にスライドして、解除レバー１３５をモジュール抜去治具１０５先端方向に倒しておく。
【００５３】
次に、モジュール抜去治具１０５の本体部１１５の先端をモジュール２４０のコネクタ挿入口２５０に嵌合するまで奥に押し込む。
【００５４】
続いて、操作部１４５を図７の左方向にスライドして、解除レバー１３５を起こして、モジュール２４０のロック解除レバー２６０を倒してロックを解除する。
【００５５】
続いて、モジュール抜去治具１０５を引くと、モジュール抜去治具の先端がモジュール２４０のコネクタ挿入口２５０に嵌合して摩擦力により保持されるため、モジュール２４０が抜去される。なお、本体部１１５の先端にラバー１５０が含まれる場合には、モジュール抜去治具１０５によるモジュール２４０の保持が、より確実である。
【００５６】
モジュール抜去治具１０５の他の動作は、本発明の第１の実施形態のモジュール抜去治具１００の動作と同じである。
【００５７】
以上説明したように、本実施形態のモジュール抜去治具１０５は、本発明の第１の実施形態のモジュール抜去治具１００と同様に動作する。従って、本実施形態のモジュール抜去治具１０５は、本発明の第１の実施形態のモジュール抜去治具１００と同様の効果を有する。
【００５８】
以上、本発明を、上述した実施形態およびその実施例によって例示的に説明した。しかしながら、本発明の技術的範囲は、上述した実施形態およびその実施例に記載した範囲に限定されない。当業者には、係る実施形態に対して多様な変更又は改良を加えることが可能であることは明らかである。そのような場合、係る変更又は改良を加えた新たな実施形態も、本発明の技術的範囲に含まれ得る。そしてこのことは、特許請求の範囲に記載した事項から明らかである。
【産業上の利用可能性】
【００５９】
本発明は、光トランシーバ、ＬＡＮ（Local Area Network）通信モジュール等のモジュールを格納する筐体において、モジュールを交換する用途に利用できる。
【符号の説明】
【００６０】
１００、１０５  モジュール抜去治具
１１０、１１５  本体部
１１１  ベース部
１１２  本体軸
１１３  ベース部溝穴
１１６  案内部
１１７  案内部長溝
１１８  案内部溝穴
１２０  取っ手部
１３０、１３５  解除レバー
１３１  解除レバー軸穴
１３２  スリット
１４０、１４５  操作部
１４１  操作バー
１４２  操作バー軸
１５０  ラバー
２００  筐体
２１０  レセプタクル
２２０  ケージ
２３０  基板
２４０  モジュール
２５０  コネクタ挿入口
２６０  ロック解除レバー
【図１】
2017138396.tif 000003
【図２】
2017138396.tif 000004
【図３】
2017138396.tif 000005
【図４】
2017138396.tif 000006
【図５】
2017138396.tif 000007
【図６】
2017138396.tif 000008
【図７】
2017138396.tif 000009